(57)【特許請求の範囲】
【請求項１】
遊技球が転動することが可能な遊技領域を有する遊技盤と、
前記遊技盤を支持する支持枠と、
前記支持枠の左端部または前記支持枠の右端部である一端部に上下方向へ指向する軸を中心に回動可能に設けられ、透明な窓を支持するものであって当該窓が前記遊技盤の遊技領域に前方から対向する閉鎖状態および当該閉鎖状態に比べて前方へ移動した開放状態相互間で回動操作される前枠と、
前記前枠が閉鎖状態から開放状態に向けて回動操作されることを禁止するロック状態および前記前枠が閉鎖状態から開放状態に向けて回動操作されることを許容するロック解除状態相互間で切換えられるものであって、ロック状態で前記前枠のうち前記軸とは反対側である他端部を前記支持枠にロックするロック機構と、
前記前枠の閉鎖状態で前方から鍵を用いてロック位置およびロック解除位置相互間で移動操作される操作子を有するものであって、当該操作子が前記ロック機構のロック状態でロック位置からロック解除位置に移動操作されることに基づいて前記ロック機構をロック状態からロック解除状態に切換える錠機構と、
前記支持枠のうち前記軸側である一端部に設けられ、前記支持枠のうち前記軸側である一端部に沿って上下方向へ指向するものであって前記前枠の閉鎖状態で前記前枠および前記支持枠相互間の隙間を塞ぐように前記支持枠から前方へ突出する固定側ガード部材と、
前記前枠のうち前記軸側である一端部に設けられ、前記前枠のうち前記軸側である一端部に沿って上下方向へ指向するものであって前記前枠の閉鎖状態で前記前枠および前記支持枠相互間の隙間を塞ぐように左右方向から見て前記固定側ガード部材に重なる可動側ガード部材と、
前記固定側ガード部材および前記可動側ガード部材の一方に設けられたロック孔と、
前記固定側ガード部材および前記可動側ガード部材の他方に前進位置および後退位置相互間で移動可能に設けられ、前記前枠の閉鎖状態で前進位置に移動することに基づいて前記ロック孔内に嵌合して前記可動側ガード部材が前記固定側ガード部材に対して移動することを禁止すると共に前記前枠の閉鎖状態で後退位置に移動することに基づいて前記ロック孔内から脱出して前記可動側ガード部材が前記固定側ガード部材に対して移動することを許容するロックピンを備え、
前記ロックピンは、前記錠機構の操作子がロック位置からロック解除位置に移動操作されることに連動して前進位置から後退位置に移動操作されるものであって前記錠機構の操作子がロック解除位置からロック位置に移動操作されることに連動して後退位置から前進位置に移動操作されるものであることを特徴とするパチンコ遊技機。
【発明の詳細な説明】
【技術分野】
【０００１】
本発明は前枠を閉鎖状態にロックするロック機構を備えたパチンコ遊技機に関する。
【背景技術】
【０００２】
パチンコ遊技機には支持枠に前枠を閉鎖状態および開放状態相互間で移動可能に装着した構成のものがある。この支持枠は遊技盤を支持するものであり、前枠は透明な窓を支持するものであり、窓は前枠の閉鎖状態で支持枠の遊技盤に前方から対向する。このパチンコ遊技機にはロック機構が搭載されている。このロック機構は前枠が閉鎖状態から開放状態に向けて操作されることを禁止するものであり、前枠を閉鎖状態から開放状態に操作して遊技盤の障害釘を手指で曲げる等の不正行為を防止することを目的に搭載されている。この構成の場合、前枠が支持枠の左端部および右端部の一方である一端部に上下方向へ指向する軸を中心に回動可能に装着されており、ロック機構が前枠を軸とは反対側の他端部で閉鎖状態にロックしている。このため、前枠のうち軸側である一端部がロック機構側である他端部に比べて支持枠に対して移動し易い場合がある。
【特許文献１】特開２００４−６５９３５号公報
【発明の開示】
【発明が解決しようとする課題】
【０００３】
上記パチンコ遊技機の場合、不正行為者が前枠のロック状態で前枠の軸側である一端部を閉鎖状態から開放状態に向けて無理に操作したときには前枠の一端部および支持枠の一端部相互間に隙間が発生する虞がある。このため、前枠の一端部および支持枠の一端部相互間の隙間から遊技盤にピアノ線を挿入し、遊技盤の障害釘にピアノ線を引掛けて障害釘を曲げる等の不正行為が行われる虞がある。
【０００４】
本発明は上記事情に鑑みてなされたものであり、前枠の軸側である一端部および支持枠の軸側である一端部相互間に隙間を発生させようとして前枠の一端部を閉鎖状態から開放状態に向けて無理に操作しようとしても隙間が発生し難く、前枠の軸側である一端部および支持枠の軸側である一端部相互間から遊技盤にピアノ線を挿入する不正行為を行うことが困難なパチンコ遊技機を提供することを目的とするものである。
【課題を解決するための手段】
【０００５】
請求項１記載のパチンコ遊技機は［１］遊技盤〜［９］ロックピンを備えたところに特徴を有している。
［１］遊技盤は遊技球が転動することが可能な遊技領域を有するものである。図２の符号２７は遊技盤に相当し、図２の符号３２は遊技領域に相当する。
［２］支持枠は遊技盤を支持するものであり、図２の内枠６は支持枠に相当する。
［３］前枠は支持枠の左端部または支持枠の右端部である一端部に上下方向へ指向する軸を中心に回動可能に設けられたものである。この前枠は透明な窓を支持するものであり、窓が遊技盤の遊技領域に前方から対向する閉鎖状態および閉鎖状態に比べて前方へ移動した開放状態相互間で回動操作される。図１の符号７は前枠に相当し、図１の上軸４および下軸５のそれぞれは軸に相当し、図１の符号１４は窓に相当する。
［４］ロック機構は前枠が閉鎖状態から開放状態に向けて回動操作されることを禁止するロック状態および前枠が閉鎖状態から開放状態に向けて回動操作されることを許容するロック解除状態相互間で切換えられるものであり、ロック状態で前枠のうち軸とは反対側である他端部を支持枠にロックするものである。図２の前枠ロック機構４０はロック機構に相当する。
［５］錠機構は操作子を有するものである。この操作子はロック位置およびロック解除位置相互間で前方から前枠の閉鎖状態で鍵を用いて移動操作されるものであり、錠機構は操作子がロック機構のロック状態でロック位置からロック解除位置に移動操作されることに基づいてロック機構をロック状態からロック解除状態に切換える。図２のシリンダー錠３５は錠機構に相当し、図２のロータ３７は錠機構３５の操作子に相当する。
［６］固定側ガード部材は支持枠のうち軸側である一端部に設けられたものである。この固定側ガード部材は支持枠のうち軸側である一端部に沿って上下方向へ指向するものであり、前枠の閉鎖状態で前枠および支持枠相互間の隙間を塞ぐように支持枠から前方へ突出する。図２の前枠左ガード部材６１は固定側ガード部材に相当する。
［７］可動側ガード部材は前枠のうち軸側である一端部に設けられたものである。この可動側ガード部材は前枠のうち軸側である一端部に沿って上下方向へ指向するものであり、前枠の閉鎖状態で前枠および支持枠相互間の隙間を塞ぐように左右方向から見て固定側ガード部材に重なる。図３の前枠左ガード部材７８は可動側ガード部材に相当する。
［８］ロック孔は固定側ガード部材および可動側ガード部材の一方に設けられたものであり、図６の符号８４はロック孔に相当する。
［９］ロックピンは固定側ガード部材および可動側ガード部材の他方に前進位置および後退位置相互間で移動可能に設けられたものである。このロックピンは前枠の閉鎖状態で前進位置に移動することに基づいてロック孔内に嵌合して可動側ガード部材が固定側ガード部材に対して移動することを禁止するものであり、前枠の閉鎖状態で後退位置に移動することに基づいてロック孔内から脱出して可動側ガード部材が固定側ガード部材に対して移動することを許容する。このロックピンは錠機構の操作子がロック位置からロック解除位置に移動操作されることに連動して前進位置から後退位置に移動操作されるものであり、錠機構の操作子がロック解除位置からロック位置に移動操作されることに連動して後退位置から前進位置に移動操作される。図４の符号６７はロックピンに相当する。
【発明の効果】
【０００６】
前枠の閉鎖状態で錠機構の操作子がロック位置に操作されている場合にはロック機構がロック状態になることに基づいて前枠が前枠の軸とは反対側の他端部で支持枠にロックされている。このロック機構のロック状態ではロックピンがロック孔内に嵌合し、可動側ガード部材がロックピンおよびロック孔相互間の嵌合力で固定側ガード部材にロックされている。この可動側ガード部材は前枠の軸側である一端部に設けられたものであり、固定側ガード部材は支持枠の軸側である一端部に設けられたものであり、ロック機構のロック状態では可動側ガード部材および固定側ガード部材のそれぞれが左右方向から見て相互に重なることに基づいて前枠の一端部および支持枠の一端部相互間の隙間を塞いだ状態にロックされる。このため、不正行為者がロック機構のロック状態で前枠の一端部を閉鎖状態から開放状態に向けて無理に操作したときに前枠の一端部および支持枠の一端部相互間に隙間が発生し難くなるので、前枠の一端部および支持枠の一端部相互間から遊技盤にピアノ線を挿入することが困難になる。
【０００７】
錠機構の操作子が前枠の閉鎖状態でロック位置からロック解除位置に操作されたときにはロック機構が操作子の操作に連動してロック状態からロック解除状態になり、ロックピンが操作子の操作に連動して前進位置から後退位置に移動する。このため、ロック機構およびロックピンのそれぞれを個別に操作することなく前枠をロック解除する共通の状態に操作することができる。錠機構の操作子が前枠の閉鎖状態でロック解除位置からロック位置に操作されたときにはロック機構が操作子の操作に連動してロック解除状態からロック状態になり、ロックピンが操作子の操作に連動して後退位置から前進位置に移動する。このため、ロック機構およびロックピンのそれぞれを個別に操作することなく前枠をロックする共通の状態に操作することができる。
【発明を実施するための最良の形態】
【０００８】
【実施例１】
【０００９】
外枠１は、図１に示すように、前面および後面のそれぞれが開口する四角筒状をなすものである。この外枠１はパチンコホールの台島に設置されるものであり、外枠１の左端部には上金具２および下金具３のそれぞれが固定されている。これら上金具２および下金具３のそれぞれは水平な板状をなすものであり、上金具２には上下方向へ指向する円柱状の上軸４が固定され、下金具３には上下方向へ指向する円柱状の下軸５が固定されている。これら上軸４および下軸５のそれぞれは軸心線ＣＬが相互に共通の垂直線に重なるように配置されたものであり、上軸４および下軸５のそれぞれには、図２に示すように、共通の内枠６が回動可能に装着されている。この内枠６は閉鎖状態および開放状態相互間で上軸４および下軸５の双方を中心に回動操作されるものであり、内枠６の閉鎖状態とは内枠６が前方から外枠１に接触した状態を称する。この内枠６の開放状態とは内枠６が上軸４および下軸５の双方を中心に閉鎖状態に比べて前方へ回動した状態であり、内枠６は内枠ロック機構を介して閉鎖状態にロックされている。
【００１０】
内枠６には、図１に示すように、内枠６の前方に位置して前枠７が装着されている。この前枠７は、図３に示すように、後面が開口する四角筒状をなすものであり、上下方向へ指向する左板部８と上下方向へ指向する右板部９と左右方向へ指向する上板部１０と左右方向へ指向する下板部１１を有している。この前枠７は内枠６と共通の上軸４および下軸５の双方を中心に内枠６に対して回動可能にされたものであり、閉鎖状態および開放状態相互間で上軸４および下軸５の双方を中心に回動操作される。この前枠７の閉鎖状態は前枠７の右板部９と上板部１０と下板部１１のそれぞれが内枠６に前方から接触した状態であり、前枠７の開放状態は上軸４および下軸５の双方を中心に閉鎖状態に比べて前方へ回動した状態である。この前枠７の左板部８は右板部９と上板部１０と下板部１１のそれぞれに比べて前後方向の長さ寸法が短く設定されており、前枠７が閉鎖状態および開放状態相互間で回動操作されることを許容するために前枠７の閉鎖状態で内枠６に対して前方に離間する。
【００１１】
前枠７の前端部には、図３に示すように、前板部１２が形成されている。この前板部１２は前枠７の前面を塞ぐものであり、前板部１２には円形状の貫通孔１３が形成されている。この前板部１２には窓１４が固定されている。この窓１４は透明なガラス板からなるものであり、前板部１２の貫通孔１３を後方から塞いでいる。この前板部１２には、図１に示すように、上皿１５が固定されている。この上皿１５は遊技球を貯留するものであり、上面が開口する容器状をなしている。内枠６には前枠７の下方に位置して下皿板１６が固定されており、下皿板１６には下皿１７が固定されている。この下皿１７は上皿１５内から溢れた遊技球を受けるものであり、上面が開口する容器状をなしている。下皿板１６にはハンドル台１８が固定されており、ハンドル台１８には発射ハンドル１９が前後方向へ指向する軸を中心に回動可能に装着されている。この発射ハンドル１９は遊技者が手指で操作するものであり、予め決められた発射停止位置および発射停止位置に比べて時計回り方向の発射位置相互間で操作される。  
【００１２】
内枠６には、図２に示すように、上皿１５の後方に位置して台板部２０が形成されている。この台板部２０は前枠７の閉鎖状態で前枠７の前板部１２に対して平行となる板状をなすものであり、台板部２０にはロータリーソレノイドからなる発射ソレノイド２１が固定されている。この発射ソレノイド２１は発射ハンドル１９が発射停止位置に保持されている遊技停止状態で電気的にオフされるものであり、発射ハンドル１９が発射停止位置から時計回り方向へ回動操作されている遊技状態で電気的にオンされる。この発射ソレノイド２１は前後方向へ指向する出力軸２２を有するものである。この発射ソレノイド２１の出力軸２２には打球槌２３が連結されており、発射ソレノイド２１は電気的なオン状態で打球槌２３を待機位置および打球位置相互間で往復的に移動操作する。図２は打球槌２３を待機位置で示すものであり、打球槌２３の打球位置は待機位置に比べて反時計回り方向に設定されている。
【００１３】
内枠６の台板部２０には、図２に示すように、発射レール２４が固定されている。この発射レール２４は発射ソレノイド２１の電気的なオン状態で上皿１５内から遊技球が１個単位で移送されるものであり、右から左に向けて上昇する傾斜状をなしている。この発射レール２４の右端部には球止め部２５が形成されており、球止め部２５には遊技球が通過することが不能な大きさの貫通孔が形成されている。この球止め部２５は上皿１５内から発射レール２４に移送された遊技球が発射レール２４の右端部から転落することを防止するものであり、打球槌２３は待機位置から打球位置に移動することに基づいて球止め部２５が転落不能に支持する遊技球を球止め部２５の貫通孔を通して右から左に向けて叩き、発射レール２４に沿って右から左に向けて転動させる。
【００１４】
内枠６には、図２に示すように、台板部２０の上方に位置して遊技盤収納室２６が形成されている。この遊技盤収納室２６は前面が開口する凹状をなすものであり、遊技盤収納室２６内には垂直な板状の遊技盤２７が収納されている。この遊技盤２７には内レール２８と外レール２９と球止め部材３０が固定されている。内レール２８は上面が開口する円弧状をなすものであり、外レール２９は内レール２８の外周部に配置された円弧状をなすものであり、球止め部材３０は内レール２８の右端部および外レール２９の右端部相互間の隙間を塞いでいる。これら内レール２８および外レール２９相互間には左側部に位置して発射通路３１が形成されている。この発射通路３１は下端部および上端部のそれぞれが開口する円弧状をなすものであり、発射通路３１の下端部の入口は発射レール２４の左端部に隙間を介して対向している。この発射通路３１の入口は発射レール２４の左端部から発射された遊技球が進入するものであり、発射通路３１内に進入した遊技球は発射通路３１に沿って円弧状の軌跡を描きながら上昇した後に発射通路３１の上端部の出口から放出される。
【００１５】
遊技盤２７には、図２に示すように、発射通路３１の右方に隣接して遊技領域３２が形成されている。この遊技領域３２は内レール２８と外レール２９と球止め部材３０によって囲まれた領域のうち発射通路３１を除く残りの円形状の領域を称するものであり、発射通路３１の出口から放出された遊技球が転動することが可能な最大範囲に相当する。遊技盤２７には遊技領域３２内に位置して複数の障害釘が固定されており、発射通路３１の出口から遊技領域３２内に放出された遊技球は障害釘に当りながら遊技領域３２内を落下する。この遊技領域３２は前枠７の閉鎖状態で窓１４に後方から対向するものであり、遊技領域３２は前枠７の閉鎖状態で前方から窓１４を通して視認可能にされている。
【００１６】
遊技盤２７には、図２に示すように、入賞口３３が固定されている。この入賞口３３は遊技領域３２内に配置されたものであり、上面が開口するポケット状をなしている。この入賞口３３は遊技領域３２内を転動する遊技球が入賞することが可能なものであり、遊技球が入賞口３３内に上面から入賞したときには上皿１５内に遊技球が賞品として払出される。遊技盤２７には貫通孔状のアウト口３４が形成されている。このアウト口３４は内レール２８の最低部に配置されたものであり、入賞口３３内に入賞しなかった遊技球は内レール２８に沿って転動することに基づいてアウト口３４内に進入し、アウト口３４を通して遊技盤２７の後方に排出される。
【００１７】
内枠６には、図２に示すように、右下部に位置してシリンダー錠３５が装着されている。このシリンダー錠３５は内枠６の前方に配置されたものであり、図１に示すように、前枠７の閉鎖状態で前方に操作可能に露出する。このシリンダー錠３５は、図２に示すように、ベース３６およびロータ３７を有するものであり、ベース３６は内枠６に固定されている。ロータ３７は前後方向へ指向する円筒状をなすものであり、ベース３６に予め決められたロック位置およびロック位置に対して反時計回り方向へ９０°回転したロック解除位置相互間で前後方向へ指向する軸を中心に回転可能に装着されている。このロータ３７には鍵穴３８が形成されており、鍵穴３８はロータ３７のロック位置で上下方向へ指向し、ロータ３７のロック解除位置で左右方向へ指向する。この鍵穴３８は前枠７の閉鎖状態で前方からロータ３７内に専用の鍵を着脱可能に挿入するためのものであり、シリンダー錠３５は専用の鍵が挿入されていない状態でロータ３７がロック位置に回転不能にロックされた施錠状態になり、専用の鍵が挿入された状態でロータ３７がロック位置およびロック解除位置相互間で回転可能にロック解除された解錠状態になる。
【００１８】
前枠７は、図２に示す前枠ロック機構４０を介して閉鎖状態にロックされている。この前枠ロック機構４０は前枠７が閉鎖状態から開放状態に回動操作されることを禁止するロック状態および閉鎖状態から開放状態に回動操作されることを許容するロック解除状態相互間で切換えられるものであり、シリンダー錠３５は前枠７の閉鎖状態で前枠ロック機構４０をロック状態からロック解除状態に切換えるための操作機構として機能する。この前枠ロック機構４０の詳細構成は次の通りである。
【００１９】
内枠６の右側部には、図２に示すように、上下方向へ指向する板状のロックベース４１が固定されている。このロックベース４１は内枠６の後方に配置されたものであり、内枠６の閉鎖状態で外枠１の内部に挿入される。このロックベース４１には２本のスリット４２が形成されている。これら両スリット４２のそれぞれは上下方向へ指向する貫通孔からなるものであり、両スリット４２内のそれぞれにはスライドプレート４３のガイドピン４４が挿入されている。これら両ガイドピン４４のそれぞれは左右方向へ指向する円柱状をなすものであり、スライドプレート４３は両ガイドピン４４のそれぞれの外周面がスリット４２の内面に沿って案内されることに基づいてロック位置およびロック位置に比べて下方のロック解除位置相互間で上下方向へ移動操作される。図２はスライドプレート４３をロック位置で示すものである。
【００２０】
ロックベース４１には、図２に示すように、両スリット４２のそれぞれの上方に位置してピン４５が固定されている。これら両ピン４５のそれぞれは左右方向へ指向する円柱状をなすものであり、両ピン４５のそれぞれにはスプリング４６の上端部が引掛けられている。これら両スプリング４６のそれぞれは引張りコイルスプリングからなるものであり、両スプリング４６のそれぞれの下端部はガイドピン４４に引掛けられている。これら両スプリング４６のそれぞれはスライドプレート４３を上方へ付勢するものであり、スライドプレート４３は両ガイドピン４４のそれぞれがスプリング４６のばね力でスリット４２の内面に上端部で接触することに基づいてロック位置に保持されている。このスライドプレート４３はシリンダー錠３５のロータ３７にアームを介して連結されたものであり、ロータ３７のロック位置では両スプリング４６のばね力でロック位置に保持され、ロータ３７がロック位置からロック解除位置に回転操作されることに基づいて両スプリング４６のそれぞれのばね力に抗してロック位置からロック解除位置に下降操作される。
【００２１】
スライドプレート４３には、図２に示すように、２本のフックプレート４７が形成されている。これら両フックプレート４７のそれぞれはスライドプレート４３から前方に突出するものであり、両フックプレート４７のそれぞれには前端部に位置して爪部４８が形成されている。これら両爪部４８のそれぞれはフックプレート４７から上方へ突出するものであり、スリット４９を通して内枠６の前方に突出している。これら両スリット４９のそれぞれは内枠６の右側部に形成されたものであり、両スリット４９のそれぞれは爪部４８がフックプレート４７と共にロック位置およびロック解除位置相互間で移動することを許容するように上下方向へ指向している。
【００２２】
前枠７の右板部９には、図３に示すように、２個のロック金具５０が固定されており、両ロック金具５０のそれぞれには上下方向へ指向する係合孔５１が形成されている。これら両ロック金具５０のそれぞれは前枠７の閉鎖状態でシリンダー錠３５のロータ３７がロック位置に操作されている場合にフックプレート４７の爪部４８が係合孔５１を通して下方から係合するものであり、前枠７の閉鎖状態でシリンダー錠３５のロータ３７がロック位置に操作されている場合には前枠７が爪部４８およびロック金具５０相互間の係合力で閉鎖状態から開放状態に回動操作されることが不能にロックされている。
【００２３】
前枠７のロック状態でシリンダー錠３５の鍵穴３８内に鍵が挿入されたときにはシリンダー錠３５が施錠状態から解錠状態に切換わり、シリンダー錠３５のロータ３７がロック位置およびロック解除位置相互間で回転可能な状態になる。このシリンダー錠３５の解錠状態で鍵が反時計回り方向へ９０°回転操作されたときにはロータ３７が鍵と共にロック位置からロック解除位置へ回転し、スライドプレート４３が鍵の操作力で両スプリング４６のそれぞれのばね力に抗してロック位置からロック解除位置に下降し、両フックプレート４７のそれぞれの爪部４８がロック金具５０から外れる。この前枠ロック機構４０のロック解除状態で前枠７が閉鎖状態から前方へ操作されたときには両フックプレート４７のそれぞれの爪部４８がロック金具５０の係合孔５１内から抜取られ、前枠７が閉鎖状態から開放状態に回動操作される。
【００２４】
シリンダー錠３５のロータ３７がロック解除位置に操作されたまま前枠７が開放状態から後方へ操作されたときには両フックプレート４７のそれぞれの爪部４８がロック金具５０の係合孔５１内に進入し、前枠７が開放状態から閉鎖状態に到達する。この前枠７の閉鎖状態で鍵が時計回り方向へ９０°操作されたときにはスライドプレート４３が鍵の操作力および両スプリング４６のそれぞれのばね力の双方でロック解除位置からロック位置に上昇し、両フックプレート４７のそれぞれの爪部４８がロック金具５０に下方から係合することに基づいて前枠７が閉鎖状態にロックされる。前枠ロック機構４０は以上のように構成されている。
【００２５】
前枠７は、図４に示すように、前枠ガード機構６０を介して閉鎖状態にロックされている。この前枠ガード機構６０は前枠７が閉鎖状態にロックされた状態で内枠６および前枠７相互間から遊技盤２７内にピアノ線が挿入されることを防止するものであり、前枠７が閉鎖状態から開放状態に回動操作されることを禁止するガード状態および前枠７が閉鎖状態から開放状態に操作されることを許容するガード解除状態相互間で切換えられる。この前枠ガード機構６０は前枠ロック機構４０と共通のシリンダー錠３５を操作機構とするものであり、前枠ロック機構４０がシリンダー錠３５の操作に基づいてロック状態からロック解除状態に切換わることに連動してガード状態からガード解除状態に切換わり、前枠ロック機構４０がシリンダー錠３５の操作に基づいてロック解除状態からロック状態に切換ることに連動してガード解除状態からガード状態に切換わる。この前枠ガード機構６０の詳細構成は次の通りである。
【００２６】
内枠６には、図２に示すように、内枠６の前方に位置して内枠左ガード部材６１および内枠右ガード部材６２のそれぞれが固定されている。内枠左ガード部材６１は前枠７の閉鎖状態で前枠７の左板部８および内枠６の左端部相互間の隙間を塞ぐように内枠６から前方へ突出するものであり、内枠６の左端部に沿って上下方向へ指向している。内枠右ガード部材６２は内枠６から前方へ突出するものであり、内枠６の右端部に沿って上下方向へ指向している。これら内枠左ガード部材６１および内枠右ガード部材６２のそれぞれは、図４に示すように、ベース部６３と外側ガード部６４と内側ガード部６５を有している。ベース部６３は上方から見て左右方向へ指向する板状をなすものであり、内枠左ガード部材６１はベース部６３を内枠６にネジ止めすることに基づいて内枠６に固定され、内枠右ガード部材６２はベース部６３を内枠６にネジ止めすることに基づいて内枠６に固定されている。
【００２７】
内枠左ガード部材６１の外側ガード部６４は、図４に示すように、内枠左ガード部材６１のベース部６３のうち遊技盤２７とは反対側の左端部に沿って上下方向へ指向するものであり、内枠左ガード部材６１のベース部６３から前方へ直角に突出する板状をなしている。内枠左ガード部材６１の内側ガード部６５は内枠左ガード部材６１のベース部６３のうち遊技盤２７側の右端部に沿って上下方向へ指向するものであり、内枠左ガード部材６１のベース部６３から前方へ直角に突出する板状をなしている。この内枠左ガード部材６１の内側ガード部６５および外側ガード部６４は隙間を介して左右方向に相互に対向するものであり、内側ガード部６５の前後方向の長さ寸法は外側ガード部６４に比べて大きく設定され、内側ガード部６５の左右方向の厚さ寸法は外側ガード部６４に比べて大きく設定されている。
【００２８】
内枠右ガード部材６２の外側ガード部６４は、図４に示すように、内枠右ガード部材６２のベース部６３のうち遊技盤２７とは反対側の右端部に沿って上下方向へ指向するものであり、内枠右ガード部材６２のベース部６３から前方へ直角に突出する板状をなしている。内枠右ガード部材６２の内側ガード部６５は内枠右ガード部材６２のベース部６３のうち遊技盤２７側の左端部に沿って上下方向へ指向するものであり、内枠右ガード部材６２のベース部６３から前方へ直角に突出する板状をなしている。この内枠右ガード部材６２の内側ガード部６５および外側ガード部６４は隙間を介して左右方向に相互に対向するものであり、内側ガード部６５の前後方向の長さ寸法は外側ガード部６４に比べて大きく設定され、内側ガード部６５の左右方向の厚さ寸法は外側ガード部６４に比べて大きく設定されている。
【００２９】
内枠左ガード部材６１および内枠右ガード部材６２のそれぞれには、図４に示すように、内側ガード部６５に位置して３個のホルダ６６が上下方向に等ピッチで固定されている。これら合計６個のホルダ６６のそれぞれは左側面および右側面の双方が開口する筒状をなすものであり、６個のホルダ６６のそれぞれの内部にはロックピン６７が挿入されている。これら６本のロックピン６７のそれぞれは左右方向へ指向する柱状をなすものであり、ロックピン６７の外周面がホルダ６６の内周面に沿って案内されることに基づいて前進位置および後退位置相互間で左右方向へ直線的に移動可能にされている。これら６個のロックピン６７のそれぞれの前進位置はロックピン６７の先端部が内側ガード部６５の内部から遊技盤２７側へ突出した位置であり、６個のロックピン６７のそれぞれの後退位置はロックピン６７の先端部が内側ガード部６５の内部に退避した位置である。図４はロックピン６７を前進位置で示すものである。
【００３０】
６個のホルダ６６のそれぞれには、図４に示すように、遊技盤２７とは反対側の端部に位置してスプリング受け６８が固定されている。これら６個のスプリング受け６８のそれぞれは中央部に貫通孔を有する環状をなすものであり、４個のホルダ６６のそれぞれの内部にはロックピン６７およびスプリング受け６８相互間に位置してロックスプリング６９が介在されている。これら６個のロックスプリング６９のそれぞれは圧縮コイルスプリングからなるものであり、６個のロックピン６７のそれぞれはロックスプリング６９のばね力で前進位置に保持されている。
【００３１】
内枠左ガード部材６１および内枠右ガード部材６２のそれぞれには、図４に示すように、内側ガード部６５に位置してワイヤ収納部７０が形成されている。これら両ワイヤ収納部７０のそれぞれは内側ガード部６５に沿って上下方向へ指向するものであり、上面と下面と外側ガード部６４側の一面のそれぞれが開口する凹状をなしている。これら両ワイヤ収納部７０内のそれぞれには３本のサブワイヤ７１が収納されており、合計６本のサブワイヤ７１のそれぞれの一端部はスプリング受け６８の貫通孔を通してロックピン６７に連結されている。
【００３２】
シリンダー錠３５のロータ３７には、図５に示すように、大歯車７２が連結されている。この大歯車７２は内枠６に前後方向へ指向する軸７３を中心に回転可能に装着されたものであり、大歯車７２には小歯車７４が噛合されている。この小歯車７４は内枠６に前後方向へ指向する軸７５を中心に回転可能に装着されたものであり、シリンダー錠３５のロータ３７がロック位置およびロック解除位置相互間で回転操作されることに連動して大歯車７２を介して回転操作される。この小歯車７４にはドラム７６が固定されている。このドラム７６は小歯車７４の軸７５を中心に小歯車７４と一体的に回転するものであり、ドラム７６にはメインワイヤ７７の一端部が連結されている。
【００３３】
メインワイヤ７７はシリンダー錠３５のロータ３７がロック位置からロック解除位置に回転操作されることに基づいてドラム７６に巻取られるものであり、シリンダー錠３５のロータ３７がロック解除位置からロック位置に回転操作されることに基づいてドラム７６から巻戻される。このメインワイヤ７７の他端部には６本のサブワイヤ７１のそれぞれが連結されており、シリンダー錠３５のロータ３７がロック位置からロック解除位置に回転操作されたときにはメインワイヤ７７がドラム７６に巻取られることに基づいて６本のロックピン６７のそれぞれがロックスプリング６９のばね力に抗して前進位置から後退位置に移動し、シリンダー錠３５のロータ３７がロック解除位置からロック位置に回転操作されたときにはメインワイヤ７７がドラム７６から巻戻されることに基づいて６本のロックピン６７のそれぞれがロックスプリング６９のばね力で後退位置から前進位置に復帰する。
【００３４】
前枠７には、図３に示すように、前枠左ガード部材７８および前枠右ガード部材７９のそれぞれが固定されている。前枠左ガード部材７８は前枠７の閉鎖状態で前枠７の左板部８および内枠６の左端部相互間の隙間を塞ぐように左右方向から見て内枠左ガード部材６１に重なるものであり、前枠７の左板部８に沿って上下方向へ指向している。前枠右ガード部材７９は前枠７の閉鎖状態で左右方向から見て内枠右ガード部材６２に重なるものであり、前枠７の右板部９に沿って上下方向へ指向している。これら前枠左ガード部材７８および前枠右ガード部材７９のそれぞれは、図６に示すように、ベース部８０と外側ガード部８１と内側ガード部８２を有している。ベース部８０は上方から見て左右方向へ指向する板状をなすものであり、前枠左ガード部材７８および前枠右ガード部材７９のそれぞれはベース部８０を前枠７の前板部１２にネジ止めすることに基づいて前枠７に固定されている。
【００３５】
前枠左ガード部材７８の外側ガード部８１は、図６に示すように、前枠左ガード部材７８のベース部８０のうち遊技盤２７とは反対側の左端部に沿って上下方向へ指向するものであり、前枠左ガード部材７８のベース部８０から後方へ直角に突出する板状をなしている。前枠左ガード部材７８の内側ガード部８２は前枠左ガード部材７８のベース部８０のうち遊技盤２７側の右端部に沿って上下方向へ指向するものであり、前枠左ガード部材７８のベース部８０から後方へ直角に突出する板状をなしている。この前枠左ガード部材７８の内側ガード部８２および外側ガード部８１は隙間を介して左右方向に相互に対向するものであり、前枠７の閉鎖状態では、図４に示すように、前枠左ガード部材７８の外側ガード部８１が内枠左ガード部材６１の外側ガード部６４および内側ガード部６５相互間に前方から挿入され、内枠左ガード部材６１の内側ガード部６５が前枠左ガード部材７８の外側ガード部８１および内側ガード部８２相互間に後方から挿入される。
【００３６】
前枠右ガード部材７９の外側ガード部８１は、図６に示すように、前枠右ガード部材７９のベース部８０のうち遊技盤２７とは反対側の右端部に沿って上下方向へ指向するものであり、ベース部８０から後方へ直角に突出する板状をなしている。前枠右ガード部材７９の内側ガード部８２は前枠右ガード部材７９のベース部８０のうち遊技盤２７側の左端部に沿って上下方向へ指向するものであり、ベース部８０から後方へ直角に突出する板状をなしている。この前枠右ガード部材７９の内側ガード部８２および外側ガード部８１は隙間を介して左右方向に相互に対向するものであり、前枠７の閉鎖状態では、図４に示すように、前枠右ガード部材７９の外側ガード部８１が内枠右ガード部材６２の外側ガード部６４および内側ガード部６５相互間に前方から挿入され、内枠右ガード部材６２の内側ガード部６５が前枠右ガード部材７９の外側ガード部８１および内側ガード部８２相互間に後方から挿入される。
【００３７】
前枠左ガード部材７８および前枠右ガード部材７９のそれぞれには、図６に示すように、外側ガード部８１の後端部に位置してゴム製のシール板８３が貼付されている。これら両シール板８３のそれぞれは外側ガード部８１に沿って上下方向へ指向するものであり、前枠左ガード部材７８のシール板８３は、図４に示すように、前枠７の閉鎖状態で内枠左ガード部材６１のベース部６３に接触し、前枠右ガード部材７９のシール板８３は前枠７の閉鎖状態で内枠右ガード部材６２のベース部６３に接触する。これら両シール板８３のそれぞれは前枠７の閉鎖状態でベース部６３および外側ガード部８１のそれぞれによって弾性的に押し潰されるものであり、弾性復元力でベース部６３および外側ガード部８１のそれぞれに接触することに基づいてベース部６３および外側ガード部８１相互間の隙間をピアノ線を挿入することが不能に塞ぐものである。
【００３８】
前枠左ガード部材７８および前枠右ガード部材７９のそれぞれには、図６に示すように、内側ガード部８２に位置して３個のロック孔８４が形成されている。これら合計６個のロック孔８４のそれぞれは前枠７の閉鎖状態でロックピン６７が対向するものであり、６本のロックピン６７のそれぞれは前枠７の閉鎖状態でシリンダー錠３５のロータ３７がロック解除位置からロック位置に回動操作された場合に後退位置から前進位置に移動することに基づいてロック孔８４内に進入し、前枠７の閉鎖状態でシリンダー錠３５のロータ３７がロック位置からロック解除位置に回動操作された場合に前進位置から後退位置に移動することに基づいてロック孔８４内から脱出する。前枠ガード機構６０は以上のように構成されている。
【００３９】
前枠７の閉鎖状態でシリンダー錠３５のロータ３７がロック解除位置からロック位置に回動操作された場合には前枠ロック機構４０の両フックプレート４７のそれぞれの爪部４８がロック金具５０に係合し、前枠ガード機構６０の６本のロックピン６７のそれぞれがロック孔８４内に進入し、前枠７が爪部４８およびロック金具５０相互間の係合力に加えてロックピン６７およびロック孔８４相互間の係合力で閉鎖状態にロックされる。この前枠７のロック状態でシリンダー錠３５のロータ３７がロック位置からロック解除位置に回動操作された場合には前枠ロック機構４０の両フックプレート４７のそれぞれの爪部４８がロック金具５０から外れ、前枠ガード機構６０の６本のロックピン６７のそれぞれがロック孔８４内から脱出し、前枠７が閉鎖状態から開放状態に回動操作されることが可能にロック解除される。
【００４０】
上記実施例１によれば次の効果を奏する。
前枠７の閉鎖状態でシリンダー錠３５のロータ３７がロック位置に操作されている場合には前枠ロック機構４０がロック状態になることに基づいて前枠７が上軸４および下軸５のそれぞれとは反対側の右端部で内枠６にロックされている。この前枠ロック機構４０のロック状態では前枠ガード機構６０のロックピン６７がロック孔８４内に嵌合し、前枠左ガード部材７８が左右方向から見て内枠左ガード部材６１に重なる状態にロックされ、前枠右ガード部材７９が左右方向から見て内枠右ガード部材６２に重なる状態にロックされている。このため、不正行為者が前枠７のロック状態で前枠７の左端部を閉鎖状態から開放状態に向けて無理に操作したときに前枠７の左端部および内枠６の左端部相互間に隙間が発生し難くなるので、前枠７の左端部および内枠６の左端部相互間から遊技盤２７にピアノ線を挿入することが困難になる。しかも、不正行為者が前枠７のロック状態で前枠７の右端部を閉鎖状態から開放状態に向けて無理に操作したときに前枠７の右端部および内枠６の右端部相互間に隙間が発生し難くなるので、前枠７の右端部および内枠６の右端部相互間から遊技盤２７にピアノ線を挿入することも困難になる。
【００４１】
シリンダー錠３５のロータ３７が前枠７の閉鎖状態でロック位置からロック解除位置に回転操作されたときには前枠ロック機構４０がロータ３７の回転操作に連動してロック状態からロック解除状態になり、ロックピン６７がロータ３７の回転操作に連動して前進位置から後退位置に移動する。このシリンダー錠３５のロータ３７が前枠７の閉鎖状態でロック解除位置からロック位置に回転操作されたときには前枠ロック機構４０がロータ３７の回転操作に連動してロック解除状態からロック状態になり、ロックピン６７がロータ３７の回転操作に連動して後退位置から前進位置に移動する。このため、ロックピン６４および前枠ロック機構４０のそれぞれを個別に操作する必要がなくなる。
【００４２】
前枠７の閉鎖状態でシリンダー錠３５のロータ３７がロック位置に操作されている場合に内枠左ガード部材６１のロックピン６７を内枠左ガード部材６１の内側ガード部６５から遊技盤２７と同一側である右方に突出させ、前枠左ガード部材７８の外側ガード部８１がロックピン６７を遊技盤２７とは反対側の左方から覆うようにした。このため、不正行為者が内枠６の左端部および前枠７の左端部相互間からロックピン６７にピアノ線を引掛け難くなるので、内枠左ガード部材６１のロックピン６７を前進位置から後退位置に不正に操作することが困難になる。前枠７の閉鎖状態でシリンダー錠３５のロータ３７がロック位置に操作されている場合に内枠右ガード部材６２のロックピン６７を内枠右ガード部材６１の内側ガード部６５から遊技盤２７と同一側である左方に突出させ、前枠右ガード部材７９の外側ガード部８１がロックピン６７を遊技盤２７とは反対側の右方から覆うようにした。このため、不正行為者が内枠６の右端部および前枠７の右端部相互間からロックピン６７にピアノ線を引掛け難くなるので、内枠右ガード部材６２のロックピン６７を前進位置から後退位置に不正に操作することが困難になる。
【００４３】
上記実施例１においては、内枠右ガード部材６２および前枠右ガード部材７９のそれぞれを廃止し、内枠６の左端部および前枠７の左端部相互間のみを内枠左ガード部材６１および前枠左ガード部材７８の双方によって塞ぐ構成としても良い。
【００４４】
上記実施例１においては、前枠ロック機構４０を廃止し、前枠７の右端部を内枠右ガード部材６２のロックピン６７および前枠右ガード部材７９のロック孔８４相互間の嵌合力で閉鎖状態にロックしても良い。
【００４５】
上記実施例１においては、内枠左ガード部材６１および内枠右ガード部材６２のそれぞれにロック孔８４を形成し、前枠左ガード部材７８および前枠右ガード部材７９のそれぞれにロックピン６７を前進位置および後退位置相互間で移動可能に設け、前枠７の閉鎖状態でシリンダー錠３５のロータ３７がロック位置に回転操作されることに連動してロックピン６７をロック孔８４内に嵌合させ、前枠７の閉鎖状態でシリンダー錠３５のロータ３７がロック解除位置に回転操作されることに連動してロックピン６７をロック孔８４内から外しても良い。
【００４６】
上記実施例１においては、前枠７を内枠６の右端部に上下方向へ指向する軸を中心に回動可能に装着し、前枠ロック機構４０が前枠７を軸とは反対側の左端部で内枠６にロックする構成としても良い。この構成の場合、内枠左ガード部材６１および前枠左ガード部材７８のそれぞれを廃止し、内枠６の右端部および前枠７の右端部相互間のみを固定側ガード部材に相当する内枠右ガード部材６２および可動側ガード部材に相当する前枠右ガード部材７９の双方によって塞いでも良い。
【００４７】
上記実施例１においては、前枠７を内枠６の右端部に上下方向へ指向する軸を中心に回動可能に装着しても良い。この構成の場合、前枠ロック機構４０を廃止し、前枠７の左端部を内枠左ガード部材６１のロックピン６７および前枠左ガード部材７８のロック孔８４相互間の嵌合力で閉鎖状態にロックしても良い。
【００４８】
上記実施例１においては、ロックピン６７をシリンダー錠３５のロータ３７にリンク機構またはカム機構を介して連結し、ロータ３７の操作力をリンク機構またはカム機構を通してロックピン６７に伝達することでロックピン６７を前進位置および後退位置相互間で移動操作しても良い。
【００４９】
上記実施例１においては、ロックピン６７をモータまたは電磁ソレノイドによって前進位置および後退位置相互間で移動操作しても良い。この構成の場合、シリンダー錠３５のロータ３７がロック位置およびロック解除位置相互間で回転操作されることに基づいて電気的な状態が相互に変化するセンサを設け、モータまたは電磁ソレノイドをセンサの電気的な状態に応じて駆動制御することでロックピン６７をロータ３７の操作に連動して移動操作すると良い。
【００５０】
上記実施例１においては、内枠左ガード部材６１の３本のロックピン６７に換えて内枠左ガード部材６１の内側ガード部材６５の上下方向の全域に対応する縦長なロックピンを用いても良い。
【００５１】
上記実施例１においては、内枠右ガード部材６２の３本のロックピン６７に換えて内枠右ガード部材６２の内側ガード部材６５の上下方向の全域に対応する縦長なロックピンを用いても良い。
【図面の簡単な説明】
【００５２】
【図１】実施例１を示す図（パチンコ遊技機の外観を前方から示す図）
【図２】（ａ）はＸａ視図、（ｂ）はＸｂ線に沿う断面図、（ｃ）はＸｃ線に沿う断面図
【図３】（ａ）はＸａ視図、（ｂ）はＸｂ線に沿う断面図、（ｃ）はＸｃ線に沿う断面図
【図４】（ａ）は内枠左ガード部材の外観を前方から示す斜視図、（ｂ）はＸｂ線に沿う断面図、（ｃ）は内枠右ガード部材の外観を前方から示す斜視図、（ｄ）はＸｄ線に沿う断面図
【図５】大歯車および小歯車を前方から示す図
【図６】（ａ）は前枠左ガード部材の外観を前方から示す斜視図、（ｂ）はＸｂ線に沿う断面図、（ｃ）は前枠右ガード部材の外観を前方から示す斜視図、（ｄ）はＸｄ線に沿う断面図
【符号の説明】
【００５３】
４は上軸（軸）、５は下軸（軸）、６は内枠（支持枠）、７は前枠、１４は窓、２７は遊技盤、３２は遊技領域、３５はシリンダー錠（錠機構）、３７はロータ（操作子）、４０は前枠ロック機構（ロック機構）、６１は内枠左ガード部材（固定側ガード部材）、６７はロックピン、７８は前枠左ガード部材（可動側ガード部材）、８４はロック孔を示している。
【図１】
0005012598.tif 000002
【図２】
0005012598.tif 000003
【図３】
0005012598.tif 000004
【図４】
0005012598.tif 000005
【図５】
0005012598.tif 000006
【図６】
0005012598.tif 000007